【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
電源装置から直流電力が供給される第１の動作モードと、前記電源装置からの前記直流電力の供給が遮断される第２の動作モードとを有する情報機器であって、
前記直流電力によって動作し、ラッチ開始信号を出力する制御部と、
前記電源装置に接続される入力端子、出力端子、及び前記入力端子と前記出力端子との接続状態がオン状態となる第１の姿勢と前記接続状態がオフ状態となる第２の姿勢とに切り換える操作部とを有する電源スイッチと、
前記電源スイッチの前記出力端子に接続される第１の端子及び接地される第２の端子を有する平滑コンデンサと、
前記電源スイッチの前記出力端子に接続され、前記制御部への前記直流電力の供給と遮断とを切り換えるスイッチ回路と、
前記制御部から入力された前記ラッチ開始信号をラッチするラッチ回路を有し、前記ラッチ回路における前記ラッチ開始信号のラッチ状態に基づいて前記制御部への前記直流電力の供給を遮断するスイッチ制御信号を生成し、前記スイッチ回路に前記スイッチ制御信号を出力するスイッチ制御信号生成回路と、
前記電源スイッチにおける前記接続状態を検出し、前記接続状態がオフ状態である場合に、前記ラッチ回路における前記ラッチ開始信号のラッチを解除するラッチ解除信号を前記スイッチ制御信号生成回路に出力するラッチ解除信号生成部と、を備え、
前記ラッチ回路および前記ラッチ解除信号生成部は、前記電源スイッチの前記出力端子または前記平滑コンデンサから供給される前記直流電力によって動作可能に構成され、
前記制御部は、前記第１の動作モードから前記第２の動作モードに移行するときに、前記ラッチ開始信号を前記スイッチ制御信号生成回路に出力し、
前記ラッチ回路は、前記ラッチ回路に前記ラッチ解除信号が入力されたときに、前記ラッチ開始信号のラッチを解除し、
前記スイッチ回路は、前記スイッチ制御信号が入力されているときに開状態になり、前記スイッチ制御信号が入力されていないときに閉状態になることを特徴とする情報機器。
【請求項２】
前記ラッチ解除信号生成部は、前記電源スイッチの前記入力端子と前記出力端子と間の電位差を検出し、前記電位差が所定値以上である場合に、前記接続状態がオフ状態であるものとして、前記ラッチ解除信号を前記スイッチ制御信号生成回路に出力する電位差検出回路を備える請求項１に記載の情報機器。
【請求項３】
前記平滑コンデンサの前記第１の端子と前記ラッチ回路との間に、前記平滑コンデンサの残留電荷を放電させる抵抗器を備え、
前記抵抗器の抵抗値は、前記残留電荷の放電時における消費電力および放電時間に基づいて設定される請求項２に記載の情報機器。
【請求項４】
前記制御部は、前記第１の動作モードである期間、前記スイッチ制御信号生成回路にラッチ解除禁止信号を出力し、前記第１の動作モードから前記第２の動作モードに移行するときに、前記ラッチ解除禁止信号の出力を停止し、
前記スイッチ制御信号生成回路は、前記ラッチ解除禁止信号が入力されている期間、前記ラッチ回路への前記ラッチ解除信号の入力を禁止するラッチ解除禁止回路を備える請求項２または３記載の情報機器。
【請求項５】
前記スイッチ制御信号生成回路は、前記ラッチ回路から前記ラッチ開始信号をラッチしていることを示す状態信号が入力されている期間および前記ラッチ解除禁止回路から前記ラッチ解除信号が入力されている期間、前記制御部への前記直流電力の供給を遮断する前記スイッチ制御信号を生成し、
前記ラッチ開始信号をラッチしていることを示す状態信号および前記ラッチ解除信号が入力されていない期間、前記制御部への前記直流電力の供給を遮断する前記スイッチ制御信号を生成しないＯＲ回路を備え、
前記ＯＲ回路から出力される信号を、前記スイッチ制御信号として出力する請求項４に記載の情報機器。
【請求項６】
前記制御部は、エラーを検出するエラー検出部を備え、
前記エラー検出部は、前記エラーを検出したときに、前記ラッチ開始信号を前記スイッチ制御信号生成回路に出力する請求項１ないし５のいずれか１項に記載の情報機器。
【請求項７】
前記情報機器は、プリンターである請求項１ないし６のいずれか１項に記載の情報機器。
【手続補正２】
【補正対象書類名】明細書
【補正対象項目名】００１１
【補正方法】変更
【補正の内容】
【００１１】
［適用例１］
電源装置から直流電力が供給される第１の動作モードと、前記電源装置からの前記直流電力の供給が遮断される第２の動作モードとを有する情報機器であって、
前記直流電力によって動作し、ラッチ開始信号を出力する制御部と、
前記電源装置に接続される入力端子、出力端子、及び前記入力端子と前記出力端子との接続状態がオン状態となる第１の姿勢と前記接続状態がオフ状態となる第２の姿勢とに切り換える操作部とを有する電源スイッチと、
前記電源スイッチの前記出力端子に接続される第１の端子及び接地される第２の端子を有する平滑コンデンサと、
前記電源スイッチの前記出力端子に接続され、前記制御部への前記直流電力の供給と遮断とを切り換えるスイッチ回路と、
前記制御部から入力された前記ラッチ開始信号をラッチするラッチ回路を有し、前記ラッチ回路における前記ラッチ開始信号のラッチ状態に基づいて前記制御部への前記直流電力の供給を遮断するスイッチ制御信号を生成し、前記スイッチ回路に前記スイッチ制御信号を出力するスイッチ制御信号生成回路と、
前記電源スイッチにおける前記接続状態を検出し、前記接続状態がオフ状態である場合に、前記ラッチ回路における前記ラッチ開始信号のラッチを解除するラッチ解除信号を前記スイッチ制御信号生成回路に出力するラッチ解除信号生成部と、を備え、
前記ラッチ回路および前記ラッチ解除信号生成部は、前記電源スイッチの前記出力端子または前記平滑コンデンサから供給される前記直流電力によって動作可能に構成され、
前記制御部は、前記第１の動作モードから前記第２の動作モードに移行するときに、前記ラッチ開始信号を前記スイッチ制御信号生成回路に出力し、
前記ラッチ回路は、前記ラッチ回路に前記ラッチ解除信号が入力されたときに、前記ラッチ開始信号のラッチを解除し、
前記スイッチ回路は、前記スイッチ制御信号が入力されているときに開状態になり、前記スイッチ制御信号が入力されていないときに閉状態になることを特徴とする情報機器。
【手続補正３】
【補正対象書類名】明細書
【補正対象項目名】００１５
【補正方法】変更
【補正の内容】
【００１５】
［適用例２］
前記ラッチ解除信号生成部は、前記電源スイッチの前記入力端子と前記出力端子と間の電位差を検出し、前記電位差が所定値以上である場合に、前記接続状態がオフ状態であるものとして、前記ラッチ解除信号を前記スイッチ制御信号生成回路に出力する電位差検出回路を備える適用例１に記載の情報機器。
【手続補正４】
【補正対象書類名】明細書
【補正対象項目名】００１７
【補正方法】変更
【補正の内容】
【００１７】
［適用例３］
前記平滑コンデンサの前記第１の端子と前記ラッチ回路との間に、前記平滑コンデンサの残留電荷を放電させる抵抗器を備え、
前記抵抗器の抵抗値は、前記残留電荷の放電時における消費電力および放電時間に基づいて設定される適用例２に記載の情報機器。
【手続補正５】
【補正対象書類名】明細書
【補正対象項目名】００２１
【補正方法】変更
【補正の内容】
【００２１】
［適用例４］
前記制御部は、前記第１の動作モードである期間、前記スイッチ制御信号生成回路にラッチ解除禁止信号を出力し、前記第１の動作モードから前記第２の動作モードに移行するときに、前記ラッチ解除禁止信号の出力を停止し、
前記スイッチ制御信号生成回路は、前記ラッチ解除禁止信号が入力されている期間、前記ラッチ回路への前記ラッチ解除信号の入力を禁止するラッチ解除禁止回路を備える適用例２または３記載の情報機器。
【手続補正６】
【補正対象書類名】明細書
【補正対象項目名】００２３
【補正方法】変更
【補正の内容】
【００２３】
［適用例５］
前記スイッチ制御信号生成回路は、前記ラッチ回路から前記ラッチ開始信号をラッチしていることを示す状態信号が入力されている期間および前記ラッチ解除禁止回路から前記ラッチ解除信号が入力されている期間、前記制御部への前記直流電力の供給を遮断する前記スイッチ制御信号を生成し、
前記ラッチ開始信号をラッチしていることを示す状態信号および前記ラッチ解除信号が入力されていない期間、前記制御部への前記直流電力の供給を遮断する前記スイッチ制御信号を生成しないＯＲ回路を備え、
前記ＯＲ回路から出力される信号を、前記スイッチ制御信号として出力する適用例４に記載の情報機器。
【手続補正７】
【補正対象書類名】明細書
【補正対象項目名】００２５
【補正方法】変更
【補正の内容】
【００２５】
［適用例６］
前記制御部は、エラーを検出するエラー検出部を備え、
前記エラー検出部は、前記エラーを検出したときに、前記ラッチ開始信号を前記スイッチ制御信号生成回路に出力する適用例１ないし５のいずれか１例に記載の情報機器。
【手続補正８】
【補正対象書類名】明細書
【補正対象項目名】００２７
【補正方法】変更
【補正の内容】
【００２７】
［適用例７］
前記情報機器は、プリンターである適用例１ないし６のいずれか１項に記載の情報機器。